(57)【要約】【課題】端末から入力した各種情報を、手間を掛けずに店舗の商品販売データ処理装置に取り込むことができる店舗システムを提供する。【解決手段】携帯端末は、顧客情報入力手段と、カルテ情報入力手段と、レンズ属性情報入力手段と、購入データ生成手段と、購入データ送信手段と、を有する。顧客情報入力手段は、顧客情報入力画面を表示して所定の識別情報をキーにして各種の顧客情報の入力を受け付ける。カルテ情報入力手段は、カルテ入力画面を表示して識別情報をキーにして顧客の診断結果であるカルテ情報の入力を受け付ける。レンズ属性情報入力手段は、レンズ属性入力画面を表示して識別情報をキーにしてカルテ情報から決定したレンズ属性情報の入力を受け付ける。購入データ生成手段は、顧客情報、カルテ情報およびレンズ属性情報に基づく購入データを生成する。購入データ送信手段は、生成した購入データを送信する。【選択図】図７
2014174571.tif 000002
【特許請求の範囲】
【請求項１】
顧客情報入力画面を表示して所定の識別情報をキーにして各種の顧客情報の入力を受け付ける顧客情報入力手段と、
カルテ入力画面を表示して前記識別情報をキーにして顧客の診断結果であるカルテ情報の入力を受け付けるカルテ情報入力手段と、
レンズ属性入力画面を表示して前記識別情報をキーにして前記カルテ情報から決定したレンズ属性情報の入力を受け付けるレンズ属性情報入力手段と、
前記顧客情報、前記カルテ情報および前記レンズ属性情報に基づく購入データを生成する購入データ生成手段と、
生成した前記購入データを送信する購入データ送信手段と、
を有する携帯端末と、
商品の売上登録に際して、前記識別情報をキーにして前記購入データを蓄積したファイルを検索するデータ検索手段と、
検索した前記購入データに基づいて売上データを生成する売上データ生成手段と、
を有する商品販売データ処理装置と、
を備えることを特徴とする店舗システム。
【請求項２】
前記購入データ送信手段は、即時または前記商品販売データ処理装置からの問い合わせに従って、前記購入データを送信する、
ことを特徴とする請求項１記載の店舗システム。
【請求項３】
前記携帯端末は、商品コードに対応付けてレンズに関係する各種情報を含む電子カタログデータを更に有しており、
前記レンズ属性情報入力手段は、前記カルテ情報に基づいて前記電子カタログデータの中からレンズの種別を絞り込んで一覧表示したレンズ選択画面を表示し、当該レンズ選択画面より所望のレンズを選択させて前記レンズ属性情報の入力を受け付ける、
ことを特徴とする請求項１または２記載の店舗システム。
【請求項４】
前記商品販売データ処理装置は、前記携帯端末から送信された前記購入データを蓄積する購入データファイルを更に有している、
ことを特徴とする請求項１ないし３のいずれか一記載の店舗システム。
【請求項５】
前記商品販売データ処理装置は、商品コードを入力するスキャナを更に有しており、
前記売上データ生成手段は、前記スキャナからの入力信号に基づくことによっても売上データを生成する、
ことを特徴とする請求項１ないし４のいずれか一記載の店舗システム。
【請求項６】
携帯端末を制御するコンピュータを、
顧客情報入力画面を表示して所定の識別情報をキーにして各種の顧客情報の入力を受け付ける顧客情報入力手段と、
カルテ入力画面を表示して前記識別情報をキーにして顧客の診断結果であるカルテ情報の入力を受け付けるカルテ情報入力手段と、
レンズ属性入力画面を表示して前記識別情報をキーにして前記カルテ情報から決定したレンズ属性情報の入力を受け付けるレンズ属性情報入力手段と、
前記顧客情報、前記カルテ情報および前記レンズ属性情報に基づく購入データを生成する購入データ生成手段と、
生成した前記購入データを送信する購入データ送信手段と、
として機能させるためのプログラム。
【発明の詳細な説明】
【技術分野】
【０００１】
本発明の実施形態は、店舗システムおよびプログラムに関する。
【背景技術】
【０００２】
従来、メガネ販売店においては、眼科医等が、顧客の来店時に視力検診や問診等を行っている。このような視力検診等によって入手した顧客の眼の状態（例えば、視力等）は、カルテ情報として紙のカルテに記載される。そして、メガネ販売店の店員は、眼鏡等の売上登録処理の際に、顧客情報、購入したレンズのレンズ属性情報、カルテに記載されたカルテ情報を、ＰＯＳ（Point  of  Sales）端末に対して手入力している。
【０００３】
しかしながら、紙のカルテに記載したカルテ情報をＰＯＳ端末に対して手入力するのは手間がかかるものであり、ミスを生じやすい。また、売上登録処理の際にカルテ情報を手入力するのは、結果的に顧客を待たせることになり、客捌きが停滞する。
【０００４】
近年においては、このような問題を解決すべく、検査結果や問診結果などの処方データ（カルテ情報）を個人情報とともに端末から入力して電子カルテに転記するシステムも考案されている。従来のシステムは、個人情報や処方データ（カルテ情報）を符号化してコードシンボルとして印字し、当該コードシンボルをＰＯＳ端末で読み取るようにしている。これにより、個人情報や処方データ（カルテ情報）が、店舗システムに対してデータ登録されることになる。
【発明の概要】
【発明が解決しようとする課題】
【０００５】
本発明が解決しようとする課題は、端末から入力した各種情報を、手間を掛けずに店舗の商品販売データ処理装置に取り込むことができる店舗システムおよびプログラムを提供することである。
【課題を解決するための手段】
【０００６】
実施形態の店舗システムは、携帯端末と、商品販売データ処理装置と、を備える。前記携帯端末は、顧客情報入力手段と、カルテ情報入力手段と、レンズ属性情報入力手段と、購入データ生成手段と、購入データ送信手段と、を有する。前記顧客情報入力手段は、顧客情報入力画面を表示して所定の識別情報をキーにして各種の顧客情報の入力を受け付ける。前記カルテ情報入力手段は、カルテ入力画面を表示して前記識別情報をキーにして顧客の診断結果であるカルテ情報の入力を受け付ける。前記レンズ属性情報入力手段は、レンズ属性入力画面を表示して前記識別情報をキーにして前記カルテ情報から決定したレンズ属性情報の入力を受け付ける。前記購入データ生成手段は、前記顧客情報、前記カルテ情報および前記レンズ属性情報に基づく購入データを生成する。前記購入データ送信手段は、生成した前記購入データを送信する。前記商品販売データ処理装置は、データ検索手段と、売上データ生成手段と、を有する。前記データ検索手段は、商品の売上登録に際して、前記識別情報をキーにして前記購入データを蓄積したファイルを検索する。前記売上データ生成手段は、検索した前記購入データに基づいて売上データを生成する。
【図面の簡単な説明】
【０００７】
【図１】図１は、実施形態にかかる店舗システムの全体構成を概略的に示すシステム構成図である。
【図２】図２は、携帯端末の電気的接続を示すブロック図である。
【図３】図３は、ＰＯＳ端末の電気的接続を示すブロック図である。
【図４】図４は、購入データファイルのデータ構造の一例を示す模式図である。
【図５】図５は、携帯端末の機能構成を示す機能ブロック図である。
【図６】図６は、前受け処理の流れの一例を示すフローチャートである。
【図７】図７は、前受け処理における画面表示例を示す正面図である。
【図８】図８は、ＰＯＳ端末の機能構成を示す機能ブロック図である。
【図９】図９は、売上登録処理の流れの一例を示すフローチャートである。
【図１０】図１０は、売上登録処理における画面表示例を示す正面図である。
【発明を実施するための形態】
【０００８】
実施形態を図面に基づいて説明する。図１は、実施形態にかかる店舗システム１０１の全体構成を概略的に示すシステム構成図である。実施形態の店舗システム１０１は、メガネ販売店に導入されている。
【０００９】
図１に示すように、店舗システム１０１は、店舗フロアの接客担当者に渡されて使用される複数の携帯端末１０２、チェックアウトカウンタに設置される商品販売データ処理装置としてのＰＯＳ（Point  of  Sales）端末１０４、店舗のバックヤード等に設置され店舗システム１０１全体を制御するサーバ１０３等を備えている。
【００１０】
ＰＯＳ端末１０４は、顧客が購入した眼鏡（フレーム及びレンズ）の各種データに基づく会計処理を含む売上登録処理等を実行する。ＰＯＳ端末１０４は、硬貨及び紙幣を出し入れ自在に収納するドロワ１１８の上に設置されている。ＰＯＳ端末１０４は、オペレータ用と客用との二つの表示器１１９（１１９ａ、１１９ｂ）と、キーボードや鍵キーを含む入力装置１２０と、レシートプリンタ１２１と、スキャナ１２２と、を備えている。表示器１１９及び入力装置１２０は、ユーザによる情報入力機能とユーザに対する情報出力機能とを有するユーザインターフェースを構成する。
【００１１】
次に、携帯端末１０２について説明する。携帯端末１０２は、例えばタブレット型コンピュータであって、天井等に設定された無線中継器１０７によってＰＯＳ端末１０４との無線通信を可能とする。
【００１２】
携帯端末１０２は、詳細は後述するが、顧客の属性に関する顧客情報、来店時の視力検診や問診で発生する顧客カルテ情報、購入したレンズの属性であるレンズ属性情報などを電子化した購入データを生成する。携帯端末１０２が生成した購入データは、ＰＯＳ端末１０４に無線通信により送信される。
【００１３】
携帯端末１０２は、厚みのある板状の本体ハウジング１０９を中心に構成されている。本体ハウジング１０９の一面側には、ユーザインターフェースとしてのタッチパネル１１０付きのＬＣＤ１１１が設けられ、その右側には、ユーザインターフェースとしてのキー操作部１１２が設けられている。ＬＣＤ１１１は、表示部として機能し、携帯端末１０２を使用する接客担当者に対して情報表示を提供する。タッチパネル１１０は、ＬＣＤ１１１に表示された画像に対する接触の有無を検知することによって入力とする接触入力部として機能する。キー操作部１１２は、タッチパネル１１０と共に操作部を構成する。
【００１４】
図２は、携帯端末１０２の電気的接続を示すブロック図である。図２に示すように、携帯端末１０２には、マイクロコンピュータ２０１が備えられており、このマイクロコンピュータ２０１が各部を駆動制御する。マイクロコンピュータ２０１は、各部を集中的に制御するＣＰＵ（Central  Processing  Unit）２０２に、バスライン２０３を介して制御プログラム等の固定的情報を予め記憶するＲＯＭ（Read  Only  Memory）２０４と、各種データを書き換え自在に記憶してワークエリア等として機能するＲＡＭ（Random  Access  Memory）２０５、データを書き換え自在に記憶し、その記憶データを給電なしに保持できる不揮発性メモリ２１５とが接続されて構成されている。したがって、マイクロコンピュータ２０１は、情報処理を実行する情報処理部を構成する。
【００１５】
マイクロコンピュータ２０１には、バスライン２０３を介して、タッチパネルコントローラ２０６、表示コントローラ２０７、キーコントローラ２０８、無線通信インターフェース２０９、及び、無線部２１０が接続されている。
【００１６】
タッチパネルコントローラ２０６は、タッチパネル１１０からの入力信号をマイクロコンピュータ２０１に取り込む。表示コントローラ２０７は、画像データに基づいてＬＣＤ１１１を駆動制御し、画像データに応じた画像をＬＣＤ１１１に表示させる。キーコントローラ２０８は、キー操作部１１２からの入力信号をマイクロコンピュータ２０１に取り込む。無線通信インターフェース２０９は、無線部２１０を駆動制御する。無線部２１０は、アンテナ２１１を介して無線中継器１０７との間で無線通信を実行する。携帯端末１０２に入力された購入データ等の各種情報は、無線部２１０から無線中継器１０７に送信される。この場合、購入データは宛先をＰＯＳ端末１０４としている。そこで、入力された情報が購入データである場合には、購入データはＰＯＳ端末１０４に向けて無線送信されることになる。ここに、タッチパネル１１０やキー操作部１１２等の操作部の操作によって購入データを入力する手段の機能と、入力された購入データをＰＯＳ端末１０４に向けて無線送信する手段の機能とが実行される。
【００１７】
不揮発性メモリ２１５には、各種データが保存されている。例えば、基本ＯＳ１７３、携帯端末１０２における各種処理用のプログラム１７２、及び、電子カタログデータ１７１である。
【００１８】
電子カタログデータ１７１は、コードシンボル（バーコードや二次元コード等）が印刷された紙製のレンズコードブックのレンズ情報および紙製のカタログ冊子を電子化したものである。電子カタログデータ１７１は、商品コードに対応付けて、商品写真、商品名、メーカー名、カテゴリー名（単焦点レンズ、遠近両用レンズ等）、度数、売価等を含むものである。
【００１９】
基本ＯＳ１７３、プログラム１７２、電子カタログデータ１７１の全部又は一部は、携帯端末１０２の起動時にＲＡＭ２０５にコピーされる。携帯端末１０２のマイクロコンピュータ２０１は、基本ＯＳ１７３及びプログラム１７２に従い各種の処理を実行する。
【００２０】
ＰＯＳ端末１０４の電気的接続についても簡単に説明する。図３は、ＰＯＳ端末１０４の電気的接続を示すブロック図である。図３に示すように、ＰＯＳ端末１０４には、マイクロコンピュータ３０１が備えられており、このマイクロコンピュータ３０１が各部を駆動制御する。マイクロコンピュータ３０１は、各部を集中的に制御するＣＰＵ３０２に、バスライン３０３を介して制御プログラム等の固定的情報を予め記憶するＲＯＭ３０４と、各種データを書き換え自在に記憶してワークエリア等として機能するＲＡＭ３０５とが接続されて構成されている。したがって、マイクロコンピュータ３０１は、情報処理を実行する情報処理部を構成する。ＲＡＭ３０５は、その全部又は一部が不揮発性メモリである。
【００２１】
マイクロコンピュータ３０１には、バスライン３０３を介して、表示／キーボードコントローラ３０６とＨＤＤ３０７と通信インターフェース３０８とプリンタコントローラ３０９とスキャナコントローラ３１０とが接続されている。
【００２２】
ＨＤＤ３０７には、各種データが保存されている。例えば、基本ＯＳ３１５、ＰＯＳ端末１０４における各種処理用のプログラム３１１、購入データファイル３１２、商品マスタファイル３１３、及び、売上データファイル３１４である。
【００２３】
表示／キーボードコントローラ３０６は、画像データに基づいて表示器１１９を駆動制御し、画像データに応じた画像を表示器１１９に表示させ、また、入力装置１２０からの入力信号をマイクロコンピュータ３０１に取り込む。通信インターフェース３０８は、ＬＡＮケーブル１０８を介して他の機器、つまり、無線中継器１０７との間でのデータ通信を可能とする。
【００２４】
プリンタコントローラ３０９は、印字データに基づいてレシートプリンタ１２１を駆動制御し、印字データに応じた画像をレシートプリンタ１２１に印字させる。また、スキャナコントローラ３１０は、スキャナ１２２からの入力信号をマイクロコンピュータ３０１に取り込む。
【００２５】
図４は、ＰＯＳ端末１０４が記憶する購入データファイル３１２のデータ構造の一例を示す模式図である。図４に示すように、ＰＯＳ端末１０４は、携帯端末１０２から購入データを受信すると、これを購入データファイル３１２に登録する。購入データファイル３１２は、携帯端末１０２から受信した購入データに含まれている顧客情報、顧客カルテ情報、レンズ属性情報を登録可能なデータ構造を有している。
【００２６】
商品マスタファイル３１３は、商品コードに対応付けて売価や商品名等を記憶する。また、売上データファイル３１４は、取引番号および取引種別とともに一取引分の売上データを記憶する。
【００２７】
続いて、携帯端末１０２のマイクロコンピュータ２０１が基本ＯＳ１７３及びプログラム１７２に従って実行する各種の処理のうち、前受け処理について説明する。
【００２８】
携帯端末１０２のマイクロコンピュータ２０１は、基本ＯＳ１７３及びプログラム１７２に従うことにより、図５に示すように、顧客情報入力手段２０１１と、カルテ情報入力手段２０１２と、レンズ属性情報入力手段２０１３と、購入データ生成手段２０１４と、購入データ送信手段２０１５と、として機能する。
【００２９】
顧客情報入力手段２０１１は、「顧客情報入力画面」Ａ（図７（ａ）参照）を表示して所定の識別情報（例えば、顧客番号）をキーにして各種の顧客情報の入力を受け付ける。
【００３０】
カルテ情報入力手段２０１２は、「カルテ入力画面」Ｂ（図７（ｂ）参照）を表示して識別情報（例えば、顧客番号）をキーにして顧客の診断結果であるカルテ情報の入力を受け付ける。
【００３１】
レンズ属性情報入力手段２０１３は、「レンズ属性入力画面」Ｃ（図７（ｃ）参照）を表示して識別情報（例えば、顧客番号）をキーにしてカルテ情報から決定したレンズ属性情報の入力を受け付ける。また、レンズ属性情報入力手段２０１３は、カルテ情報に基づいて電子カタログデータ１７１の中からレンズの種別を絞り込んで一覧表示した「レンズ選択画面」Ｄ（図７（ｄ）参照）を表示し、当該「レンズ選択画面」Ｄより所望のレンズを選択させてレンズ属性情報の入力を受け付ける。
【００３２】
購入データ生成手段２０１４は、顧客情報、カルテ情報およびレンズ属性情報に基づく購入データを生成する。購入データ送信手段２０１５は、生成した購入データを送信する。
【００３３】
なお、本実施形態の携帯端末１０２で実行される基本ＯＳ１７３及びプログラム１７２は、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００３４】
さらに、本実施形態の携帯端末１０２で実行される基本ＯＳ１７３及びプログラム１７２を、インターネット等のネットワークに接続されたコンピュータ上に格納し、ネットワーク経由でダウンロードさせることにより提供するように構成しても良い。また、本実施形態の携帯端末１０２で実行される基本ＯＳ１７３及びプログラム１７２をインターネット等のネットワーク経由で提供または配布するように構成しても良い。
【００３５】
図６は、携帯端末１０２の前受け処理の流れの一例を示すフローチャート、図７は携帯端末１０２のＬＣＤ１１１の前受け処理における画面表示例を示す正面図である。図６のフローチャートと図７の画面表示例とに基づいて、前受け処理の一例について説明する。
【００３６】
まず、携帯端末１０２のマイクロコンピュータ２０１（顧客情報入力手段２０１１）は、「顧客情報入力画面」をＬＣＤ１１１に表示する（ステップＳ１）。
【００３７】
図７（ａ）に示すように、「顧客情報入力画面」Ａは、顧客番号の入力を受け付けるエリアａ１、前受番号の入力を受け付けるエリアａ２、箱番号の入力を受け付けるエリアａ３を有している。顧客番号は、顧客毎に一意に決まる数字である。前受番号は、検診やレンズの決定を行う前受け処理の受付番号である。箱番号は、前受け処理において用いる箱の番号である。
【００３８】
また、図７（ａ）に示すように、「顧客情報入力画面」Ａは、各種の顧客情報（氏名、性別、生年月日、住所等）の入力を受け付けるエリアａ４を有している。
【００３９】
図７（ａ）に示す「顧客情報入力画面」Ａのエリアａ１に対して、顧客番号の入力があった場合（ステップＳ２のＹｅｓ）、携帯端末１０２のマイクロコンピュータ２０１は、ＰＯＳ端末１０４の購入データファイル３１２にアクセスして入力された顧客番号に対応する顧客情報を検索し、「顧客情報入力画面」Ａのエリアａ４に表示し（ステップＳ３）、「顧客情報入力画面」Ａのエリアａ４に対する各顧客情報の変更をタッチパネル１１０を介して受け付ける。
【００４０】
なお、携帯端末１０２のマイクロコンピュータ２０１（顧客情報入力手段２０１１）は、新規顧客の場合には（ステップＳ４のＹｅｓ）、「顧客情報入力画面」Ａのエリアａ１に新規の顧客番号を発番し（ステップＳ５）、「顧客情報入力画面」Ａのエリアａ４に対する各顧客情報の入力をタッチパネル１１０を介して受け付ける。
【００４１】
すなわち、従来、紙の検診表や問診表に記入していた顧客情報を、携帯端末１０２より入力可能としている。
【００４２】
携帯端末１０２のマイクロコンピュータ２０１（顧客情報入力手段２０１１）は、顧客情報の確認、修正、新規入力等が例えばキー操作等により終了したと判断すると（ステップＳ６のＹｅｓ）、修正や新規入力等の顧客情報をＲＡＭ２０５に一時的に記憶する（ステップＳ７）。
【００４３】
次いで、携帯端末１０２のマイクロコンピュータ２０１（カルテ情報入力手段２０１２）は、「カルテ入力画面」をＬＣＤ１１１に表示する（ステップＳ８）。
【００４４】
図７（ｂ）に示すように、「カルテ入力画面」Ｂは、来店時の視力検診や問診で発生する顧客の視力等の診断結果情報の入力を受け付けるエリアｂ１を有している。
【００４５】
また、携帯端末１０２のマイクロコンピュータ２０１（カルテ情報入力手段２０１２）は、ＰＯＳ端末１０４の購入データファイル３１２にアクセスして、入力された顧客番号に対応するカルテ情報を検索し、「カルテ入力画面」Ｂのエリアｂ１に表示する（ステップＳ９）。
【００４６】
また、携帯端末１０２のマイクロコンピュータ２０１（カルテ情報入力手段２０１２）は、新規顧客の場合や情報に変更が有る場合には、「カルテ入力画面」Ｂのエリアｂ１の各カルテ情報の入力をタッチパネル１１０を介して受け付ける。すなわち、従来、紙の検診表や問診表に記入していたカルテ情報を、携帯端末１０２より入力可能としている。
【００４７】
携帯端末１０２のマイクロコンピュータ２０１（カルテ情報入力手段２０１２）は、カルテ情報の確認、修正、新規入力等が例えばキー操作等により終了したと判断すると（ステップＳ１０のＹｅｓ）、修正や新規入力等のカルテ情報をＲＡＭ２０５に一時的に記憶する（ステップＳ１１）。
【００４８】
次いで、携帯端末１０２のマイクロコンピュータ２０１（レンズ属性情報入力手段２０１３）は、「レンズ属性入力画面」をＬＣＤ１１１に表示する（ステップＳ１２）。
【００４９】
図７（ｃ）に示すように、「レンズ属性入力画面」Ｃは、視力等のカルテ情報と顧客の要求とから適切なレンズを決定する画面である。図７（ｃ）に示すように、「レンズ属性入力画面」Ｃは、レンズの種類や度数等のレンズ属性情報の入力を受け付けるエリアｃ１，ｃ２を有している。エリアｃ１は、右目用のレンズ属性情報の入力を受け付け、エリアｃ２は、左目用のレンズ属性情報の入力を受け付ける。また、図７（ｃ）に示すように、「レンズ属性入力画面」Ｃは、電子カタログデータ１７１を閲覧するためのカタログボタンｃ３を有している。
【００５０】
次いで、携帯端末１０２のマイクロコンピュータ２０１（レンズ属性情報入力手段２０１３）は、ＰＯＳ端末１０４の購入データファイル３１２にアクセスして、入力された顧客番号に対応するレンズ属性情報を検索し、「レンズ属性入力画面」Ｃのエリアｃ１，ｃ２にそれぞれ表示する（ステップＳ１３）。
【００５１】
また、携帯端末１０２のマイクロコンピュータ２０１（レンズ属性情報入力手段２０１３）は、新規顧客の場合や情報に変更が有る場合には、「レンズ属性入力画面」Ｃのエリアｃ１，ｃ２の各レンズ属性情報の入力をタッチパネル１１０を介して受け付ける。すなわち、従来、紙の検診表や問診表に記入していたレンズ属性情報を、携帯端末１０２より入力可能としている。
【００５２】
また、「レンズ属性入力画面」Ｃは、電子カタログデータ１７１を利用して、カルテ情報に基づいて適切なレンズを絞り込んで表示できる。より詳細には、携帯端末１０２のマイクロコンピュータ２０１（レンズ属性情報入力手段２０１３）は、「レンズ属性入力画面」Ｃのカタログボタンｃ３が操作されると（ステップＳ１４のＹｅｓ）、ＲＡＭ２０５に一時的に記憶されているカルテ情報に基づいて、電子カタログデータ１７１の中からカテゴリー名（単焦点レンズ、遠近両用レンズ等）、度数などに応じて適切なレンズの種別を絞り込んだ「レンズ選択画面」をＬＣＤ１１１に表示する（ステップＳ１５）。
【００５３】
図７（ｄ）に示すように、「レンズ選択画面」Ｄは、電子カタログデータ１７１の中からカテゴリー名（単焦点レンズ、遠近両用レンズ等）、度数などに応じて適切なレンズの種別をカルテ情報に基づいて絞り込んで一覧表示し、所望のレンズを選択させてレンズ属性情報の入力を受け付ける。
【００５４】
図７（ｄ）に示す「レンズ選択画面」Ｄから所望のレンズがタッチパネル１１０を介して選択されると（ステップＳ１６のＹｅｓ）、携帯端末１０２のマイクロコンピュータ２０１（レンズ属性情報入力手段２０１３）は、図７（ｃ）に示す「レンズ属性入力画面」Ｃのエリアｃ１，ｃ２の各レンズ属性情報に対して、選択されたレンズの属性情報を電子カタログデータ１７１から取得して表示する（ステップＳ１３）。
【００５５】
携帯端末１０２のマイクロコンピュータ２０１（レンズ属性情報入力手段２０１３）は、レンズ属性情報の確認、修正、新規入力等が例えばキー操作等により終了したと判断すると（ステップＳ１７のＹｅｓ）、修正や新規入力等のレンズ属性情報をＲＡＭ２０５に一時的に記憶する（ステップＳ１８）。
【００５６】
次いで、携帯端末１０２のマイクロコンピュータ２０１（購入データ生成手段２０１４）は、ＲＡＭ２０５に一時的に記憶したレンズ属性情報、カルテ情報および顧客情報に基づいて、購入データを生成する（ステップＳ１９）。すなわち、顧客情報、カルテ情報、レンズ属性情報が、顧客番号に関連付けられた電子ファイルとして生成されることになる。
【００５７】
携帯端末１０２のマイクロコンピュータ２０１（購入データ送信手段２０１５）は、以上のようにして生成した購入データを、即時またはＰＯＳ端末１０４からの問い合わせに従って、ＰＯＳ端末１０４に送信する（ステップＳ２０）。
【００５８】
続いて、ＰＯＳ端末１０４のマイクロコンピュータ３０１が基本ＯＳ３１５及びプログラム３１１に従って実行する各種の処理のうち、売上登録処理について説明する。
【００５９】
ＰＯＳ端末１０４のマイクロコンピュータ３０１は、基本ＯＳ３１５及びプログラム３１１に従うことにより、図８に示すように、データ検索手段３０１１と、売上データ生成手段３０１２と、として機能する。
【００６０】
データ検索手段３０１１は、商品の売上登録に際して、識別情報（例えば、顧客番号）をキーにして購入データを蓄積したファイルを検索する。
【００６１】
売上データ生成手段３０１２は、検索した購入データに基づいて売上データを生成する。
【００６２】
なお、本実施形態のＰＯＳ端末１０４で実行される基本ＯＳ３１５及びプログラム３１１は、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００６３】
さらに、本実施形態のＰＯＳ端末１０４で実行される基本ＯＳ３１５及びプログラム３１１を、インターネット等のネットワークに接続されたコンピュータ上に格納し、ネットワーク経由でダウンロードさせることにより提供するように構成しても良い。また、本実施形態のＰＯＳ端末１０４で実行される基本ＯＳ３１５及びプログラム３１１をインターネット等のネットワーク経由で提供または配布するように構成しても良い。
【００６４】
図９は、ＰＯＳ端末１０４の売上登録処理の流れの一例を示すフローチャート、図１０はＰＯＳ端末１０４の表示器１１９の売上登録処理における画面表示例を示す正面図である。図９のフローチャートと図１０の画面表示例とに基づいて、売上登録処理の一例について説明する。
【００６５】
まず、ＰＯＳ端末１０４のマイクロコンピュータ３０１は、商品の売上登録に際して、「売上登録画面」をオペレータ用表示器１１９ａに表示する（ステップＳ３１）。
【００６６】
図１０に示すように、「売上登録画面」Ｅは、顧客番号の入力を受け付けるエリアｅ１を有している。また、「売上登録画面」Ｅは、前受番号の入力を受け付けるエリアｅ２、箱番号の入力を受け付けるエリアｅ３を有している。さらに、「売上登録画面」Ｅは、顧客名を表示するエリアｅ４や、レンズ等の売上対象商品の各種情報を一覧表示するエリアｅ５を有している。エリアｅ５に表示される各種情報は、品番コード、商品名、単価、点数金額などである。
【００６７】
図１０に示す「売上登録画面」Ｅのエリアｅ１に対して、顧客番号の入力があった場合（ステップＳ３２のＹｅｓ）、ＰＯＳ端末１０４のマイクロコンピュータ３０１（データ検索手段３０１１）は、購入データファイル３１２にアクセスして、入力された顧客番号に対応する顧客情報を検索し、「売上登録画面」Ｅのエリアｅ４に表示するとともに、入力された顧客番号に対応するレンズ属性情報を検索し、「売上登録画面」Ｅのエリアｅ５に表示する（ステップＳ３３）。
【００６８】
なお、本実施形態では、顧客番号を入力させて顧客情報およびレンズ属性情報を検索するようにしたが、これに限るものではない。例えば、「売上登録画面」Ｅのエリアｅ２に対する前受番号の入力や、「売上登録画面」Ｅのエリアｅ３に対する箱番号の入力によって顧客情報およびレンズ属性情報を検索するようにしても良い。
【００６９】
また、ＰＯＳ端末１０４のマイクロコンピュータ３０１（データ検索手段３０１１）は、情報に変更が有る場合には、「売上登録画面」Ｅのエリアｅ５の各種情報やエリアｅ４の顧客名などの入力を入力装置１２０を介して受け付ける。すなわち、従来、紙の検診表や問診表に記入していた顧客情報およびレンズ属性情報を、携帯端末１０２から入力した購入データファイル３１２の購入データから取得する。これにより、ＰＯＳ端末１０４による売上登録を可能にする。
【００７０】
ＰＯＳ端末１０４のマイクロコンピュータ３０１（売上データ生成手段３０１２）は、「売上登録画面」Ｅのエリアｅ５の各種情報の確認、修正、新規入力等が例えばキー操作等により終了したと判断すると（ステップＳ３４のＹｅｓ）、「売上登録画面」Ｅのエリアｅ５に表示された品番コード、商品名、単価、点数金額等に基づいて、売上データを生成する（ステップＳ３５）。
【００７１】
また、ＰＯＳ端末１０４のマイクロコンピュータ３０１（売上データ生成手段３０１２）は、メガネフレーム等のバーコード付き商品の購入がある場合には、スキャナ１２２からの入力信号（商品コード）を受信し（ステップＳ３６のＹｅｓ）、商品マスタファイル３１３を検索することにより、売価や商品名等を取得して、これらの商品コード、販売数量、商品名、売価等に基づく売上データを生成する（ステップＳ３５）。
【００７２】
ＰＯＳ端末１０４のマイクロコンピュータ３０１（売上データ生成手段３０１２）は、スキャナ１２２から入力信号（商品コード）が入力される毎にその売上合計金額を商品マスタファイル３１３に基づいて算出して売上データとして生成し、これを一取引の締めを指示する操作入力（例えば入力装置１２０上の現計キーの押下）が行われるまで繰り返す。
【００７３】
一取引の締めが指示されると（ステップＳ３７のＹｅｓ）、ＰＯＳ端末１０４のマイクロコンピュータ３０１（売上データ生成手段３０１２）は、その一取引分の売上データを、本取引を識別するための取引番号、入力された取引種別とともに売上データファイル３１４に登録する（ステップＳ３８）。
【００７４】
このように、実施形態の店舗システム１０１によれば、携帯端末１０２から入力した各種情報を、手間を掛けずに店舗の商品販売データ処理装置であるＰＯＳ端末１０４に取り込むことができる。
【００７５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７６】
１０１      店舗システム
１０２      携帯端末
１０４      商品販売データ処理装置
２０１１    顧客情報入力手段
２０１２    カルテ情報入力手段
２０１３    レンズ属性情報入力手段
２０１４    購入データ生成手段
２０１５    購入データ送信手段
３０１１    データ検索手段
３０１２    売上データ生成手段
【先行技術文献】
【特許文献】
【００７７】
【特許文献１】特開２００７−２３３４９２号公報
【図１】
2014174571.tif 000003
【図２】
2014174571.tif 000004
【図３】
2014174571.tif 000005
【図４】
2014174571.tif 000006
【図５】
2014174571.tif 000007
【図６】
2014174571.tif 000008
【図７】
2014174571.tif 000009
【図８】
2014174571.tif 000010
【図９】
2014174571.tif 000011
【図１０】
2014174571.tif 000012